(57)【要約】【課題】  紙幣をマスクとともに保持する札入れにおいて、紙幣を出し入れするときに、収納しているマスクに使用者の手指が触れてしまう危険性を減らし、またマスクを着脱しようとするに際して、収容している紙幣に使用者の手指やマスクが触れてしまう危険性を減らすこと。【解決手段】  紙幣をマスクとともに保持する札入れ１０は、一方の長辺側が結合された第１板材２１と第２板材２２とフラップ３０とを有する。第１板材２１と第２板材２２とにより紙幣を挟持する。第１板材２１とフラップ３０とによりマスクＭを広げた状態で挟持する。【選択図】    図２
0003231611.tif 000002
【実用新案登録請求の範囲】
【請求項１】
紙片をマスクとともに保持する札入れにおいて、
一方の長辺側が結合された第１板材と第２板材と第３板材とを有し、
前記第１板材と前記第２板材とにより前記紙片を挟持し、
前記第１板材と前記第３板材とにより前記マスクを広げた状態で挟持する札入れ。
【請求項２】
前記第１板材と前記第２板材の他方の長辺側はファスナによって開閉自在に結合している請求項１に記載の札入れ。
【請求項３】
前記第３板材は前記第１板材に対し、着脱自在に結合している請求項１に記載の札入れ。
【請求項４】
前記第１板材の前記第３板材側の面及び前記第３板材の前記第１板材側の面には、抗菌層が形成される請求項１に記載の札入れ。
【請求項５】
紙片をマスクとともに保持する札入れにおいて、
外三つ折り状に連結された第１板材と第２板材と第３板材とを有し、
前記第１板材又は前記第２板材の間で前記紙片を保持し、
前記第１板材と前記第３板材とにより前記マスクを広げた状態で挟持する札入れ。
【請求項６】
前記第３板材は前記第１板材に対し、着脱自在に結合している請求項５に記載の札入れ。
【請求項７】
前記第１板材の前記第３板材側の面及び前記第３板材の前記第１板材側の面には、抗菌層が形成される請求項５に記載の札入れ。
【請求項８】
紙片をマスクとともに保持する札入れにおいて、
一方の長辺側が結合された第１板材と第２板材と第３板材とを有し、
前記第１板材と前記第２板材は両短辺側が結合するとともに、前記第１板材と前記第２板材とにより前記紙片を挟持し、
前記第１板材と前記第３板材とにより前記マスクを広げた状態で挟持する札入れ。
【請求項９】
前記第３板材は前記第１板材に対し、着脱自在に結合している請求項８に記載の札入れ。
【考案の詳細な説明】
【技術分野】
【０００１】
本考案は、マスクを保持するマスク収納部を有する札入れに関する。
【背景技術】
【０００２】
紙幣（紙片）やプラスチックカード等を保持するための様々な財布が知られている。このような財布の中には、２枚の板材（皮革やビニール等）で紙幣を挟持する札入れと呼ばれるものがある（例えば、特許文献１参照）。
【０００３】
近年、花粉やウィルス、粉塵等の様々な粒子の吸引を防ぐために、あるいは、咳やくしゃみなどにより発生する飛沫等の拡散を防止するために、また口内環境を湿潤に保つためにマスクを使用する機会が増えている。
【０００４】
マスクは、食事や洗顔等の際は外し、鞄やポケット等に一時保管する必要がある。このような時、マスクを一時的かつ衛生的に保管するマスクケースが種々検討されている（例えば、特許文献２参照。）。これらのマスクケースでは、埃が付着することを防止できると共に、マスクの型崩れを防止することができる。
【０００５】
このように札入れやマスクケースは便利ではあるが、それぞれ別個に持ち歩く必要があり、非常に煩雑であった。
【０００６】
紙幣をマスクとともに保持できる札入れが考えられるが、その場合、札入れを開いて、紙幣を出し入れするときに、札入れに保管しているマスクに使用者の手指が触れてしまう虞がある。また札入れからマスクを出し入れする際に、札入れに保持させている紙幣に使用者の手指やマスクが触れてしまう虞もある。
【先行技術文献】
【特許文献】
【０００７】
【特許文献１】実用新案登録第３２２９８０４号公報
【特許文献２】実用新案登録第３２２９１４８号公報
【考案の概要】
【考案が解決しようとする課題】
【０００８】
紙幣をマスクとともに保持する札入れにおいて、紙幣を出し入れするときに、札入れに保管しているマスクに使用者の手指が触れてしまう危険性を減らし、また札入れからマスクを出し入れする際にも、札入れに収納されている紙幣に使用者の手指やマスクが触れてしまう危険性を減らすことが望まれている。
【課題を解決するための手段】
【０００９】
本考案の実施形態に係る札入れは、紙片をマスクＭとともに保持する。一方の長辺側が結合された第１板材２１と第２板材２２とフラップ３０とを有する。第１板材２１と第２板材２２とにより紙片を挟持する。第１板材２１とフラップ３０とによりマスクＭを広げた状態で挟持する。
【００１０】
本考案の実施形態に係る札入れは、紙片をマスクＭとともに保持する。外三つ折り状に連結された第１板材５０と第２板材６０と第３板材７０とを有する。第１板材５０又は第２板材６０の間で紙片を保持する。第２板材６０と第３板材７０とによりマスクＭを広げた状態で挟持する。
【００１１】
本考案の実施形態に係る札入れは、紙片をマスクＭとともに保持する。一方の長辺側が結合された第１板材９１と第２板材９２とフラップ１００とを有する。第１板材９１と第２板材９２は両短辺側が結合するとともに、第１板材９１と第２板材９２とにより紙片を挟持する。第１板材９１とフラップ１００とによりマスクＭを広げた状態で挟持する。
【図面の簡単な説明】
【００１２】
【図１】本考案の第１実施形態に係る札入れを一方向から見た斜視図。
【図２】図１の札入れにマスクを収納した状態を示す斜視図。
【図３】本考案の第１実施形態に係る札入れを一方向から見た斜視図。
【図４】図３の札入れにマスクを収納した状態を別方向から見た斜視図。
【図５】本考案の第１実施形態に係る札入れを一方向から見た斜視図。
【図６】図５の札入れにマスクを収納した状態を示す斜視図。
【考案を実施するための形態】
【００１３】
以下、図に基づいて、本考案の実施形態について説明する。  
＜第１実施形態＞
図１に示すように、本実施形態に係る札入れ１０は、紙幣（紙片）を保持し、それとともに、図２に示すように平型のマスクＭを保持する機能を有している。なお、マスクＭの表面をＭａ、装着者の口に接する裏面をＭｂ、耳に引っ掛ける耳掛部をＳとする。マスクＭは、使用目的に応じて布製・不織布製・紙製等の様々な材質から形成されている。なお、札入れ１０は紙幣の他、チケット・小切手・クーポン券等の紙片を収納する場合にも利用できる。
【００１４】
本実施形態に係る札入れ１０は、皮革や樹脂等の比較的硬質な材質で形成された札入れ本体２０と、札入れ本体２０に屈曲自在に取り付けられたフラップ（第３板材）３０とを有する。札入れ本体２０は、矩形板状の第１板材２１と第２板材２２は、一方の長辺側が一体的に連結されているとともに、他方の長辺側及び両短辺側がファスナ２３によって連結されている。札入れ本体２０において紙幣を収納することができる。
【００１５】
第１板材２１と第２板材２２とフラップ３０は、それぞれの共通の長辺２４を連結している。第１板材２１には面ファスナ２１ａが取り付けられている。第１板材２１とフラップ３０は谷折部２５において屈曲自在に連結され、図１中矢印Ｐ方向に閉じることが可能である。
【００１６】
フラップ３０は、第１板材２１に対峙する保護面３１と、その裏面に相当する外郭面３２を有している。保護面３１には、前述した面ファスナ２１ａに着脱係合する面ファスナ３１ａが取り付けられている。面ファスナ２１ａに面ファスナ３１ａを係合させることで、第１板材２１とフラップ３０の間でマスクＭを挟持することができる。面ファスナ２１ａ及び面ファスナ３１ａは、使用者の手で容易に着脱可能で、かつ、自重で開かないものであれば、磁石、ボタン、ホックを用いてもよい。
【００１７】
このように第１板材２１と第２板材２２に挟持される紙幣を出し入れする場合と、第１板材２１とフラップ３０に挟持されるマスクＭを出し入れする場合とで、ファスナ２３の開け閉め、面ファスナ２１ａと面ファスナ３１ａとの着脱を独立して行うことで、紙幣を使用者が出し入れする際に札入れ１０に保管しているマスクＭに使用者の手指が触れてしまう危険が低減され得る。また当該札入れ１０にマスクＭを装着しようとするに際して、また当該札入れ１０からマスクＭを取り外すに際して当該札入れ１０に保持させている紙幣に使用者の手指やマスクＭが触れてしまう危険が低減され得る。
【００１８】
なお、第１板材２１におけるフラップ３０に対峙する面、及び、フラップ３０の保護面３１に抗菌層を形成するようにしてもよい。マスクＭの表面Ｍａ及び裏面Ｍｂは、第１板材２１の抗菌層及びフラップ３０の保護面３１の抗菌層に接触し、菌の繁殖が防止される。抗菌層は、抗菌性とともに弾性を有している。抗菌層は、抗菌剤が塗布又は練りこまれた弾性部材（ポリウレタン、ゴム、綿等）で構成される。もちろん抗菌層は、抗菌剤が塗布、又は、練りこまれた天然繊維、化学繊維、樹脂繊維又は金属繊維の層と、弾性部材（ポリウレタン、ゴム、綿等）の層と積層された２層構造であってもよい。また、抗菌層は弾性を有しているので、折り畳み時にマスクＭとの密着性を高めることができる。
【００１９】
このように構成された札入れ１０は、次のようにして用いる。紙幣を収納する際は、ファスナ２３を開けて第１板材２１と第２板材２２との間に挟持させ、取り出す際は、ファスナ２３を開けて第１板材２１と第２板材２２との間から引っ張り出す。出し入れしない場合にはファスナ２３を閉じる。
【００２０】
マスクＭを収納させる場合は、面ファスナ２１ａと面ファスナ３１ａとの係合を解除し、フラップ３０を開き、第１板材２１とフラップ３０の保護面３１とに挟持させ、図１中矢印Ｐ方向に閉じ、面ファスナ２１ａと面ファスナ３１ａとを係合させる。マスクＭを取り出す場合は、面ファスナ２１ａと面ファスナ３１ａとの係合を解除し、フラップ３０を開き、第１板材２１とフラップ３０の保護面３１とに挟持されているマスクＭを引き出す。
【００２１】
第１板材２１におけるフラップ３０に対峙する面、及び、フラップ３０の保護面３１に抗菌層を形成した場合には、フラップ３０を折り畳むことで、第１板材２１の抗菌層及びフラップ３０の保護面３１の抗菌層はマスクＭの表面Ｍａ及び裏面Ｍｂに当接して挟持される。マスクＭを露出させることなく保持することができるとともに、抗菌層の抗菌作用により、マスクＭ内でのウィルスや菌の増殖を防止する抗菌効果を発揮できる。
【００２２】
このように本実施形態に係る札入れによれば、紙幣の出し入れとマスクの出し入れを独立して行うことができるため、紙幣を保護しつつ、マスクを収容することで埃の付着や型崩れを防止でき、それと共に付着した細菌類の増殖を防止することが可能となる。特に、紙幣側とマスク側とを独立して開くので、紙幣の出し入れ時にはマスクには触れにくく、逆にマスクの出し入れ時には紙幣には触れにくいため、使用者による不用意な接触機会を減らすことで、菌の無用な移動を防止することができる。
＜第２実施形態＞
図３に示すように、本実施形態に係る札入れ４０は、紙幣（紙片）を保持し、それとともに、図４に示すように平型のマスクＭを保持する機能を有している。上述したマスクＭと抗菌層は同一機能を有しているため、詳細な説明は省略する。
【００２３】
本実施形態に係る札入れ４０は、皮革や樹脂等の比較的硬質な材質で矩形板状の第１板材５０と第２板材６０と第３板材７０とを有する。これら第２板材６０と第１板材５０と第３板材７０とはその順番で幅方向に連結されている。特に、第２板材６０と第１板材３５と第３板材７０とは、幅方向に谷折りが連続するように内側に折り畳むいわゆる内三つ折りではなく、幅方向に山折り５４と谷折り５５とが交互に並ぶように折り畳むいわゆる外三つ折り（蛇腹折り）可能に連結される。
【００２４】
第１板材５０は、保護面５１と財布面５２とを有している。財布面５２には紙幣を挿入するポケット５３を有している。保護面５１には、面ファスナ５１ａが取り付けられている。第２板材６０は、上述した財布面５２に対峙する財布面６１と外郭面６２とを有している。第３板材７０は、保護面７１と外郭面７２とを有している。保護面７１には、上述した面ファスナ５１ａに係合する面ファスナ７１ａが取り付けられている。面ファスナ５１ａ及び面ファスナ７１ａの代わりに、磁石、ボタン、ホックを用いてもよい。
【００２５】
第１板材５０と第２板材６０は谷折部５４において屈曲自在に連結され、開閉可能である。第１板材５０のポケット５３において紙幣を収納し、第２板材６０で保護することができる。第１板材５０と第３板材７０は谷折部５５において屈曲自在に連結され、図３中矢印Ｑ方向に閉じることが可能である。面ファスナ５１ａに面ファスナ７１ａを係合させることで、第１板材５０と第３板材７０の間でマスクＭを挟持することができる。
【００２６】
このように紙幣を挟持する第１板材５０と第２板材６０とは、マスクＭを挟持する第１板材５０と第３板材７０とに対して、表裏逆側に開閉することにより、紙幣を使用者が出し入れするときに、マスクＭに使用者の手指が触れてしまう危険が低減され得る。また札入れにマスクＭを出し入れする際に、紙幣に使用者の手指やマスクＭが触れてしまう危険が低減され得る。
【００２７】
なお、第１板材５０の保護面５１及び第３板材７０の保護面７１には、抗菌層を形成してもよい。マスクＭの表面Ｍａ及び裏面Ｍｂは、第１板材５０の保護面５１の抗菌層及び第３板材７０の保護面７１の抗菌層に接触し、菌の繁殖が防止される。
【００２８】
このように構成された札入れ４０は、次のようにして用いる。紙幣を収納する際は、第２板材６０を開いて、ポケット５３に挿入する。取り出す際は、第２板材６０を開いてポケット５３から引っ張り出す。出し入れしない場合には第２板材６０を閉じる。
【００２９】
マスクＭを収納させる場合は、第３板材７０を開き、第１板材５０の保護面５１と第３板材７０の保護面７１とに挟持させ、図３中矢印Ｑ方向に閉じ、面ファスナ５１ａと面ファスナ７１ａとを係合させる。マスクＭを取り出す場合は、面ファスナ５１ａと面ファスナ５１ａとの係合を解除し、第３板材７０を開き、第１板材５０の保護面５１と第３板材７０の保護面７１とに挟持されているマスクＭを引き出す。
【００３０】
第１板材５０の保護面５１及び第３板材７０の保護面７１に抗菌層を形成するようにした場合は、第３板材７０を折り畳むことで、第１板材５０の保護面５１の抗菌層及び第３板材７０の保護面７１の抗菌層はマスクＭの表面Ｍａ及び裏面Ｍｂに当接して挟持される。マスクＭを露出させることなく保持することができるとともに、抗菌層の抗菌作用により、マスクＭ内でのウィルスや菌の増殖を防止する抗菌効果を発揮できる。
【００３１】
このように本実施形態に係る札入れによれば、紙幣側とマスク側とが札入れ４０の表裏逆側に開くので、紙幣を出し入れしているときは、保管したマスクＭに触れにくく、逆にマスクＭを出し入れしているときには紙幣に触れにくい。したがって、紙幣を保護しつつ、マスクを収容することで埃の付着や型崩れを防止でき、それと共に付着した細菌類の増殖を防止することが可能となる。したがって、使用者による不用意な接触機会を減らすことで、菌の無用な移動を防止することができる。
＜第３実施形態＞
図５に示すように、本実施形態に係る札入れ８０は、紙幣（紙片）を保持し、それとともに、図６に示すように平型のマスクＭを保持する機能を有している。上述したマスクＭと抗菌層は同一機能を有しているため、詳細な説明は省略する。
【００３２】
本実施形態に係る札入れ８０は、皮革や樹脂等の比較的軟質な材質で形成された札入れ本体９０と、札入れ本体９０に屈曲自在に取り付けられたフラップ（第３板材）１００とを有する。札入れ本体９０は、矩形板状の第１板材９１と第２板材９２は、一方の長辺側及び両短辺側が一体的に連結されている。札入れ本体９０において紙幣を収納することができる。第１板材９１と第２板材９２との間には仕切板９３が設けられている。第１板材９１と第２板材９２とフラップ１００は、それぞれの共通の長辺９４を連結している。第１板材９１のフラップ１００側の面には面ファスナ９１ａが取り付けられている。
【００３３】
第１板材９１とフラップ１００は谷折部となる長辺９４において屈曲自在に連結され、図５中矢印Ｒ方向に閉じることが可能である。
【００３４】
フラップ１００は、第１板材９１に対峙する保護面１０１と、その裏面に相当する外郭面１０２を有している。保護面１０１には、前述した面ファスナ９１ａに係合する面ファスナ１０１ａが取り付けられている。面ファスナ９１ａに面ファスナ１０１ａを係合させることで、第１板材９１とフラップ１００の間でマスクＭを挟持することができる。面ファスナ９１ａ及び面ファスナ１０１ａの代わりに、磁石、ボタン、ホックを用いてもよい。
【００３５】
第１板材９１とフラップ１００に挟持されるマスクＭを出し入れしない場合は、面ファスナ９１ａと面ファスナ１０１ａとを係合させることで、紙幣を使用者が出し入れする際に札入れ８０に保管しているマスクＭに使用者の手指が触れてしまう危険が低減され得る。また当該札入れ８０にマスクＭを装着しようとするに際して、また当該札入れ８０からマスクＭを取り外すに際して当該札入れ８０に保持させている紙幣に使用者の手指やマスクＭが触れてしまう危険が低減され得る。
【００３６】
なお、第１板材９１におけるフラップ１００に対峙する面、及び、フラップ１００の保護面１０１に抗菌層を形成するようにしてもよい。マスクＭの表面Ｍａ及び裏面Ｍｂは、第１板材９１の抗菌層及びフラップ１００の保護面１０１の抗菌層に接触し、菌の繁殖が防止される。
【００３７】
このように構成された札入れ８０は、次のようにして用いる。紙幣を収納する際は、第１板材９１と第２板材９２を開いて第１板材９１と第２板材９２との間に挟持させ、取り出す際は、第１板材９１と第２板材９２との間から引っ張り出す。
【００３８】
マスクＭを収納させる場合は、面ファスナ９１ａと面ファスナ１０１ａとの係合を解除し、フラップ１００を開き、第１板材９１とフラップ１００の保護面１０１とに挟持させ、図５中矢印Ｒ方向に閉じ、面ファスナ９１ａと面ファスナ１０１ａとを係合させる。マスクＭを取り出す場合は、面ファスナ９１ａと面ファスナ１０１ａとの係合を解除し、フラップ１００を開き、第１板材９１とフラップ１００の保護面１０１とに挟持されているマスクＭを引き出す。
【００３９】
札入れ８０は比較的軟質な材料で形成されているため、非使用時には長辺方向の中央で折り畳むことができ、札入れ本体９０に収納した紙幣が脱落することはない。
【００４０】
第１板材９１におけるフラップ１００に対峙する面、及び、フラップ１００の保護面１０１に抗菌層を形成した場合には、フラップ１００を折り畳むことで、第１板材９１の抗菌層及びフラップ１００の保護面１０１の抗菌層はマスクＭの表面Ｍａ及び裏面Ｍｂに当接して挟持される。マスクＭを露出させることなく保持することができるとともに、抗菌層の抗菌作用により、マスクＭ内でのウィルスや菌の増殖を防止する抗菌効果を発揮できる。
【００４１】
このように本実施形態に係る札入れによれば、紙幣の出し入れとマスクの出し入れを独立して行うことができるため、紙幣を保護しつつ、マスクを収容することで埃の付着や型崩れを防止でき、それと共に付着した細菌類の増殖を防止することが可能となる。特に、紙幣側とマスク側とを独立して開くので、紙幣の出し入れ時にはマスクには触れにくく、逆にマスクの出し入れ時には紙幣には触れにくいため、使用者による不用意な接触機会を減らすことで、菌の無用な移動を防止することができる。
【００４２】
なお、上記実施形態に限定されるものではなく、実施段階ではその要旨を逸脱しない区域で種々に変形することが可能である。また、各実施形態は適宜組み合わせて実施してもよく、その場合組み合わせた効果が得られる。更に、上記実施形態には種々の考案が含まれており、開示される複数の構成要件から選択された組み合わせにより種々の考案が抽出され得る。例えば、実施形態に示される全構成要件からいくつかの構成要件が削除されても、課題が解決でき、効果が得られる場合には、この構成要件が削除された構成が考案として抽出され得る。
【符号の説明】
【００４３】
１０…札入れ、２０…札入れ本体、２１…第１板材、２１ａ…面ファスナ、２２…第２板材、２３…ファスナ、２４…長辺、２５…谷折部、３０…フラップ（第３板材）、３１…保護面、３１ａ…面ファスナ、３２…外郭面、３５…第１板材、４０…札入れ、５０…第１板材、５１…保護面、５１ａ…面ファスナ、５２…財布面、５３…ポケット、５４…谷折部、５５…谷折部、６０…第２板材、６１…財布面、６２…外郭面、７０…第３板材、７１…保護面、７１ａ…面ファスナ、７２…外郭面、８０…札入れ、９０…札入れ本体、９１…第１板材、９１ａ…面ファスナ、９２…第２板材、９３…仕切板、９４…長辺、１００…フラップ（第３板材）、１０１…保護面、１０１ａ…面ファスナ、１０２…外郭面、Ｍ…マスク。
【図１】
0003231611.tif 000003
【図２】
0003231611.tif 000004
【図３】
0003231611.tif 000005
【図４】
0003231611.tif 000006
【図５】
0003231611.tif 000007
【図６】
0003231611.tif 000008